(57)【要約】【課題】  １つの表示パネルにおいて静止画表示と書き換え表示を組み合わせて成る表示を極めて低い消費電力でもって可能とすること。【解決手段】  ゲート信号線と画像信号線の交差部に形成された、書き換え駆動と静止画駆動のいずれかを選択する駆動選択回路を含む画素電極部と、複数本のゲート信号線の一本を任意に選択してオンするゲート信号駆動回路３と、複数本の画像信号線の一本を任意に選択してオンする画像信号駆動回路４と、を有するドットマトリクス型表示装置の駆動方法であって、駆動選択回路によって、オン状態のゲート信号線とオン状態の画像信号線との交差部にある選択された画素電極部を書き換えるとともに、非選択の画素電極部を静止画駆動し、さらに書き換え駆動を適用する表示領域を書き換え周期を相違させて複数設ける。【選択図】  図１
2015087437.tif 000002
【特許請求の範囲】
【請求項１】
基板上の所定の方向に形成された複数本のゲート信号線と、前記所定の方向に直交する方向に前記ゲート信号線と交差させて形成された複数本の画像信号線と、前記ゲート信号線と前記画像信号線の交差部に形成された、書き換え駆動と静止画駆動のいずれかを選択する駆動選択回路を含む画素電極部と、複数本の前記ゲート信号線の一本を任意に選択してオンするゲート信号駆動回路と、複数本の前記画像信号線の一本を任意に選択してオンする画像信号駆動回路と、を有するドットマトリクス型表示装置の駆動方法であって、前記駆動選択回路によって、オン状態の前記ゲート信号線とオン状態の前記画像信号線との交差部にある選択された前記画素電極部を書き換えるとともに、非選択の前記画素電極部を静止画駆動し、さらに前記書き換え駆動を適用する表示領域を書き換え周期を相違させて複数設けるドットマトリクス型表示装置の駆動方法。
【請求項２】
相違する前記書き換え周期の比を１０倍以上とする請求項１に記載のドットマトリクス型表示装置の駆動方法。
【請求項３】
前記表示領域の前記書き換え周期に対応する書き換え期間は、書き換えを実行する動作期間及びそれ以外の書き換え休止期間を含んでおり、前記書き換え休止期間が前記動作期間よりも長い請求項１または請求項２に記載のドットマトリクス型表示装置の駆動方法。
【請求項４】
前記静止画駆動が適用される表示領域において、前記各画素電極部に供給される基準電圧のハイ／ローを定期的に反転させる請求項１乃至請求項３のいずれかに記載のドットマトリクス型表示装置の駆動方法。
【請求項５】
基板上の所定の方向に形成された複数本のゲート信号線と、前記所定の方向に直交する方向に前記ゲート信号線と交差させて形成された複数本の画像信号線と、前記ゲート信号線と前記画像信号線の交差部に形成された、書き換え駆動と静止画駆動のいずれかを選択する駆動選択回路を含む画素電極部と、複数本の前記ゲート信号線の一本を任意に選択してオンするゲート信号駆動回路と、複数本の前記画像信号線の一本を任意に選択してオンする画像信号駆動回路と、を有しており、前記駆動選択回路は、オン状態の前記ゲート信号線とオン状態の前記画像信号線との交差部にある選択された前記画素電極部を書き換えるとともに、非選択の前記画素電極部を静止画駆動し、さらに前記書き換え駆動を適用する表示領域が書き換え周期を相違させて複数設けられているドットマトリクス型表示装置。
【発明の詳細な説明】
【技術分野】
【０００１】
本発明は、基板上に薄膜トランジスタ(Thin Film Transistor :TFT)素子を含む画素電極部が多数形成されているドットマトリクス型表示装置の駆動方法及びドットマトリクス型表示装置に関する。
【背景技術】
【０００２】
従来、例えば液晶表示装置 (Liquid Crystal Display :LCD)は、TFT素子を含む画素電極部が多数形成されたTFTアレイ側基板と、カラーフィルタ及びブラックマトリクスが形成されたカラーフィルタ側基板とを互いに対向させて、それらの基板を所定の間隔でもって貼り合わせ、それらの基板間に液晶を充填、封入させることによって作製される。
【０００３】
従来のアクティブマトリクス型の液晶表示装置の基本構成の一例を図11に示す。例えば、TFTアレイ側基板は、その上の第１の方向(行方向)に形成された複数本のゲート信号線Gl,G2,G3,・・・Gnと、第１の方向と交差する第2の方向(列方向)にゲート信号線と交差させて形成された複数本の画像信号線Sl,S2,S3,・・・Smと、ゲート信号線と画像信号線の交差部に形成された、TFT素子101、画素電極(図示せず)を含む画素電極部Pll,P12,P13,・・・Pnmと、を有する構成である。また、基準電極(図示せず)と、その基準電極に基準電圧 (Vcom)を供給する基準電圧線102は、画素電極との間で液晶に印加する垂直的な電界を形成するために、カラーフィルタ側基板上に設けられている。なお、図11において、103はゲート信号駆動回路、104は画像信号(ソース信号)駆動回路である。
【０００４】
TFT素子は、例えば、アモルファスシリコン(a-Si)等から成る半導体膜を有し、ゲート電極部、ソース電極部、ドレイン電極部の３端子部を有する構成である。そして、ゲート電極部に所定電位の電圧(例えば６V)を印加することにより、ソース電極部とドレイン電極部の間の半導体膜に電流を流す、スイッチング素子 (ゲートトランスファ素子)として機能する。また、画素電極は、一般に酸化インジウムスズ(Indium  Tin  Oxide  :ITO)等から成る透明導電体層から構成されている。
【０００５】
また、カラーフィルタ側基板は、基準電極及び基準電圧線が形成された主面と反対側の主面に、それぞれの画素に対応する赤(R)、緑(G)、青(B)のカラーフィルタが形成されており、それぞれの画素を通過する光が相互に干渉することを防ぐブラックマトリクスがカラーフィルタの外周を囲むように形成されている。尚、カラーフィルタ及びブラックマトリクスは、カラー表示を行わない場合はなくてもよい。また、透過型LCDの場合はバックライトが設けられており、反射型LCDの場合はバックライトはなくてもよい。
【０００６】
このようなLCDにおいて、静止画像を表示させる際に外部回路、信号線駆動回路などの消費電力を低減するために、画素がそれぞれスタティック型メモリ(Static  Random  Access  Memory  :SRAM)等の記憶回路とD/A(Digital/Analog)変換回路を有する構成が提案されている(例えば、下記特許文献１,２を参照)。即ち、CMOS(Complementary  Metal  Oxide  Semiconductor  :相補型金属酸化膜半導体)インバータ等のインバータ(反転論理回路)をループ状に接続したSRAMと、nビット(nは自然数)のデジタル信号を語調表示が可能なアナログ信号に変換するD/A変換回路とを有し、静止画像の表示期間においては、DAC(Digital  to  Analog  Converter)コントローラのみを駆動して、記憶回路に記憶されたデジタル映像信号を繰り返し読み出し、D/A変換を行ってアナログ信号階調信号を得て、そのアナログ信号階調信号によって静止画像の表示を行う。そして、静止画像の表示を行う際にソース信号線駆動回路及びゲート信号線駆動回路を停止する、という構成である。この構成により、静止画像の表示時における外部回路、信号線駆動回路などの消費電力を低減することができる。
【先行技術文献】
【特許文献】
【０００７】
【特許文献１】特開2002-162947号公報
【特許文献２】特開2002-196306号公報
【発明の概要】
【発明が解決しようとする課題】
【０００８】
しかしながら、上記従来の構成のLCDにおいては、動画表示をさせるための通常動作モード (アナログ動作モード)と、静止画表示させるためのデジタル表示モード(メモリ動作モード)とを切り替える構成について記載されているが、静止画表示と動画表示を組み合わせて成る表示をより低消費電力で行う点については何等開示されていない。従って、本発明は、上記従来の問題点に鑑みて完成されたものであり、その目的は、１つの表示パネルにおいて静止画表示と書き換え表示を組み合わせて成る表示を極めて低い消費電力でもって可能とすることである。
【課題を解決するための手段】
【０００９】
本発明のドットマトリクス型表示装置の駆動方法は、基板上の所定の方向に形成された複数本のゲート信号線と、前記所定の方向に直交する方向に前記ゲート信号線と交差させて形成された複数本の画像信号線と、前記ゲート信号線と前記画像信号線の交差部に形成された、書き換え駆動と静止画駆動のいずれかを選択する駆動選択回路を含む画素電極部と、複数本の前記ゲート信号線の一本を任意に選択してオンするゲート信号駆動回路と、複数本の前記画像信号線の一本を任意に選択してオンする画像信号駆動回路と、を有するドットマトリクス型表示装置の駆動方法であって、前記駆動選択回路によって、オン状態の前記ゲート信号線とオン状態の前記画像信号線との交差部にある選択された前記画素電極部を書き換えるとともに、非選択の前記画素電極部を静止画駆動し、さらに前記書き換え駆動を適用する表示領域をその書き換え周期を相違させて複数設ける構成である。
【００１０】
また、本発明のドットマトリクス型表示装置の駆動方法は、好ましくは、相違する前記書き換え周期の比を１０倍以上とする。
【００１１】
また、本発明のドットマトリクス型表示装置の駆動方法は、好ましくは、前記表示領域の前記書き換え周期に対応する書き換え期間は、書き換えを実行する動作期間及びそれ以外の書き換え休止期間を含んでおり、前記書き換え休止期間が前記動作期間よりも長い。
【００１２】
また、本発明のドットマトリクス型表示装置の駆動方法は、好ましくは、前記静止画駆動が適用される表示領域において、前記各画素電極部に供給される基準電圧のハイ／ローを定期的に反転させる。
【００１３】
本発明のドットマトリクス型表示装置は、基板上の所定の方向に形成された複数本のゲート信号線と、前記所定の方向に直交する方向に前記ゲート信号線と交差させて形成された複数本の画像信号線と、前記ゲート信号線と前記画像信号線の交差部に形成された、書き換え駆動と静止画駆動のいずれかを選択する駆動選択回路を含む画素電極部と、複数本の前記ゲート信号線の一本を任意に選択してオンするゲート信号駆動回路と、複数本の前記画像信号線の一本を任意に選択してオンする画像信号駆動回路と、を有しており、前記駆動選択回路は、オン状態の前記ゲート信号線とオン状態の前記画像信号線との交差部にある選択された前記画素電極部を書き換えるとともに、非選択の前記画素電極部を静止画駆動し、さらに前記書き換え駆動を適用する表示領域が書き換え周期を相違させて複数設けられている構成である。
【発明の効果】
【００１４】
本発明のドットマトリクス型表示装置の駆動方法は、基板上の所定の方向に形成された複数本のゲート信号線と、所定の方向に直交する方向にゲート信号線と交差させて形成された複数本の画像信号線と、ゲート信号線と画像信号線の交差部に形成された、書き換え駆動と静止画駆動のいずれかを選択する駆動選択回路を含む画素電極部と、複数本のゲート信号線の一本を任意に選択してオンするゲート信号駆動回路と、複数本の画像信号線の一本を任意に選択してオンする画像信号駆動回路と、を有するドットマトリクス型表示装置の駆動方法であって、駆動選択回路によって、オン状態のゲート信号線とオン状態の画像信号線との交差部にある選択された画素電極部を書き換えるとともに、非選択の画素電極部を静止画駆動し、さらに書き換え駆動を適用する表示領域をその書き換え周期を相違させて複数設ける構成である。この構成により、１つの表示パネルにおいて、静止画駆動させる画素電極部においてはゲート信号線及び画像信号線をオフ状態とし、書き換え駆動させる画素電極部においてのみ選択的にゲート信号線及び画像信号線をオン状態とするので、消費電力を極めて低く抑えることができる。また、書き換え周期をそれぞれに最適なものとした表示領域を複数設けることができるので、ある表示領域では書き換えと次の書き換えとの間の期間を非常に長く設定し、他の表示領域では書き換えと次の書き換えとの間の期間を短く設定することにより、消費電力の制御を高い精度で行うことができる。その結果、消費電力をより低減させることができる。
【００１５】
また、本発明のドットマトリクス型表示装置の駆動方法は、好ましくは、相違する書き換え周期の比を１０倍以上とすることにより、消費電力をより低減させる効果が高まる。
【００１６】
また、本発明のドットマトリクス型表示装置の駆動方法は、好ましくは、表示領域の書き換え周期に対応する書き換え期間は、書き換えを実行する動作期間及びそれ以外の書き換え休止期間を含んでおり、書き換え休止期間が動作期間よりも長いことにより、書き換え期間における書き換えの動作期間をかなりの短いものとすることができ、消費電力をさらに低減させることができる。また、好ましくは、静止画駆動が適用される表示領域において、各画素電極部に供給される基準電圧のハイ／ローを定期的に反転させる場合、書き換え駆動が適用される表示領域は勿論のこと静止画駆動が適用される表示領域においても液晶分子の劣化を抑えることができる。
【００１７】
本発明のドットマトリクス型表示装置は、基板上の所定の方向に形成された複数本のゲート信号線と、所定の方向に直交する方向にゲート信号線と交差させて形成された複数本の画像信号線と、ゲート信号線と画像信号線の交差部に形成された、書き換え駆動と静止画駆動のいずれかを選択する駆動選択回路を含む画素電極部と、複数本のゲート信号線の一本を任意に選択してオンするゲート信号駆動回路と、複数本の画像信号線の一本を任意に選択してオンする画像信号駆動回路と、を有しており、駆動選択回路は、オン状態のゲート信号線とオン状態の画像信号線との交差部にある選択された画素電極部を書き換えるとともに、非選択の画素電極部を静止画駆動し、さらに書き換え駆動を適用する表示領域が書き換え周期を相違させて複数設けられている。この構成により、１つの表示パネルにおいて、静止画駆動させる画素電極部においてはゲート信号線及び画像信号線をオフ状態とし、書き換え駆動させる画素電極部においてのみ選択的にゲート信号線及び画像信号線をオン状態とするので、消費電力を極めて低く抑えることができる。また、書き換え周期をそれぞれに最適なものとした表示領域を複数設けることができるので、ある表示領域では書き換えと次の書き換えとの間の期間を非常に長く設定し、他の表示領域では書き換えと次の書き換えとの間の期間を短く設定することにより、消費電力の制御を高い精度で行うことができる。その結果、消費電力をより低減させることができる。
【図面の簡単な説明】
【００１８】
【図１】図１は、本発明のドットマトリクス型表示装置について実施の形態の一例を示すブロック回路図である。
【図２】図２は、本発明のドットマトリクス型表示装置におけるゲート信号線駆動回路の詳細な構成を示す回路図である。
【図３】図３は、本発明のドットマトリクス型表示装置における画像信号線駆動回路の詳細な構成を示す回路図である。
【図４】図４の（ａ）は、ゲート信号線駆動回路における１本のゲート信号線をオン、オフさせる駆動回路部のブロック回路図、（ｂ）は（ａ）の詳細を示す回路図である。
【図５】図５の（ａ）は、画像信号線駆動回路における１本の画像信号線をオン、オフさせる駆動回路部のブロック回路図、（ｂ）は（ａ）の詳細を示す回路図である。
【図６】図６は、保持回路と画素電極制御回路を有する駆動選択回路を含む画素電極部の１実施の形態を示すブロック回路図である。
【図７】図７は図６の各ブロック回路を構成するTFT素子群の接続関係を措いた詳細な回路図である。
【図８】図８は、画素電極制御回路を構成するTFT素子群の接続関係を描いた詳細な回路図である。
【図９】図９は、基準電圧Ｖcom（Ａ）と画像信号data（Ｂ）を２値入力とする、排他的論理和の論理ゲート回路の出力（Ｙ）を記載した真理値表である。
【図１０】図１０は、本発明のドットマトリクス型表示装置を適用したデジタル表示式腕時計の表示パネルの平面図である。
【図１１】図１１は、従来のドットマトリクス型表示装置の基本構成を示すブロック回路図である。
【発明を実施するための形態】
【００１９】
以下、本発明のドットマトリクス型表示装置の実施の形態について、図面を参照しながら説明する。但し、以下で参照する各図は、本発明のドットマトリクス型表示装置の構成部材のうち、本発明の構成を説明するために必要な主要な部材を示している。従って、本発明に係るドットマトリクス型表示装置は、各図に示されていない、配線導体、回路基板、制御IC、制御LSI等の任意の構成部材を備え得る。
【００２０】
図１〜図９を参照して、本発明のドットマトリクス型表示装置の駆動方法及びドットマトリクス型表示装置の実施の形態について説明する。本発明のドットマトリクス型表示装置の駆動方法は、ガラス基板等の基板上の所定の方向に形成された複数本のゲート信号線と、所定の方向に直交する方向にゲート信号線と交差させて形成された複数本の画像信号線と、ゲート信号線と画像信号線の交差部に形成された、書き換え駆動と静止画駆動のいずれかを選択する駆動選択回路を含む画素電極部と、複数本のゲート信号線の一本を任意に選択してオンするゲート信号駆動回路と、複数本の画像信号線の一本を任意に選択してオンする画像信号駆動回路と、を有するドットマトリクス型表示装置の駆動方法であって、駆動選択回路によって、オン状態のゲート信号線とオン状態の画像信号線との交差部にある選択された画素電極部を書き換えるとともに、非選択の画素電極部を静止画駆動し、さらに書き換え駆動を適用する表示領域をその書き換え周期を相違させて複数設ける構成である。これにより、１つの表示パネルにおいて、静止画駆動させる画素電極部においてはゲート信号線及び画像信号線をオフ状態とし、書き換え駆動させる画素電極部においてのみ選択的にゲート信号線及び画像信号線をオン状態とするので、即ち書き換え駆動させる画素電極部のみを任意選択的にオンさせるランダムアクセス法によってオン状態とするので、消費電力を極めて低く抑えることができる。
【００２１】
また、書き換え周期をそれぞれに最適なものとした表示領域を複数設けることができるので、ある表示領域では書き換えと次の書き換えとの間の期間を非常に長く設定し、他の表示領域では書き換えと次の書き換えとの間の期間を短く設定することにより、消費電力の制御を高い精度で行うことができる。その結果、消費電力をより低減させることができる。
【００２２】
本発明のドットマトリクス型表示装置は、ガラス基板等の基板上の所定の方向に形成された複数本のゲート信号線と、所定の方向に直交する方向にゲート信号線と交差させて形成された複数本の画像信号線と、ゲート信号線と画像信号線の交差部に形成された、書き換え駆動と静止画駆動のいずれかを選択する駆動選択回路を含む画素電極部と、複数本のゲート信号線の一本を任意に選択してオンするゲート信号駆動回路と、複数本の画像信号線の一本を任意に選択してオンする画像信号駆動回路と、を有しており、駆動選択回路は、オン状態のゲート信号線とオン状態の画像信号線との交差部にある選択された画素電極部を書き換えるとともに、非選択の画素電極部を静止画駆動し、さらに書き換え駆動を適用する表示領域が書き換え周期を相違させて複数設けられている。この構成により、上述した効果と同様の効果が得られる。
【００２３】
本発明のドットマトリクス型表示装置の駆動方法及びドットマトリクス型表示装置について実施の形態の一例を図１に示す。図１は、ドットマトリクス型表示装置の基本構成のブロック回路図であり、表示パネルは16384ドット(縦128ドット×横128ドット)の画素数を有する白黒表示のLCDである。図１において、LCDパネルの一方の横側にゲート信号線駆動回路３が設けられ、LCDパネルの下側に画像信号(ソース信号)線駆動回路４が設けられている。なお、図１において、１はTFT素子、２は基準電圧Ｖcomを画素電極部の基準電極に供給する基準電圧線である。
【００２４】
図２は、ゲート信号線駆動回路３の詳細な構成を示す回路図である。ゲート信号線駆動回路３は、ゲート選択信号線GSl〜GS7、ゲート選択信号線GSl〜GS7のそれぞれの反転信号を生成するCMOSインバータ等から成るインバータ21からの反転出力を伝送する反転ゲート選択信号線iGSl〜iGS7(図では符号に上付きバーの反転記号を付している)、ゲート選択信号線GSl〜GS7及び反転ゲート選択信号線iGSl〜iGS7から成る14個の信号のうち７個の信号が入力される論理和否定(NOR)の論理ゲート回路22、論理ゲート回路22の出力の電圧振幅を昇圧させて画素電極部のゲート信号側のTFT素子を動作させるための昇圧回路（レベルシフタ（Level/Shifter  :Ｌ／Ｓ)）23、昇圧回路23の出力を反転させるCMOSインバータ等から成るインバータ24、を有している。尚、図２において10はLCDパネルである。
【００２５】
このゲート信号線駆動回路３において、論理ゲート回路22は、それに入力される７個の信号の全てがロー(「Ｌ」で表し、例えば０Ｖの信号)である場合に、ハイ(「Ｈ」で表し、例えば３Ｖの信号)を出力する。そして、論理ゲート回路22に入力される、ゲート選択信号線GSl〜GS7及び反転ゲート選択信号線iGSl〜iGS7の配線の組合せは２7＝128通りあり、ゲート選択信号線GSl〜GS7に入力する７個で１組の信号によって、１つの論理ゲート回路22を選択することができる。これにより、ゲート信号線GLl〜GL128のうちの1本を任意に選択してオンすることができる。尚、ゲート選択信号線GSl〜GS7に入力する７個で1組の信号の制御は、外部の制御LSI(Large Scale
lntegrated circuit)等によって行うことができる。
【００２６】
図３は、画像信号線駆動回路４の詳細な構成を示す回路図である。画像信号線駆動回路４は、画像選択信号線SSl〜SS7、画像選択信号線SSl〜SS7のそれぞれの反転信号を生成するCMOSインバータ等から成るインバータ31、インバータ31からの反転出力を伝送する反転画像選択信号線iSSl〜iSS7、画像選択信号線SSl〜SS7及び反転画像選択信号線iSSl〜iSS7から成る14個の信号のうち７個の信号が入力される論理和否定 (NOR)の論理ゲート回路32、論理ゲート回路32の出力の電圧振幅を昇圧させて画素電極部の画像信号側のTFT素子を動作させるための昇圧回路（Ｌ／Ｓ)33、昇圧回路33の出力を反転させるCMOSインバータ等から成るインバータ34、を有している。さらに、画像信号(Data)を伝送させる画像信号線36、インバータ34からの出力によってオンされ、画像信号線36からの画像信号Dataを画素電極部に出力するトランスファゲート素子であるTFT素子35、を有している。
【００２７】
この画像信号線駆動回路４において、論理ゲート回路32は、それに入力される7個の信号の全てがＬ(例えば０Ｖの信号)である場合に、Ｈ(例えば３Ｖの信号)を出力する。そして、論理ゲート回路32に入力される、画像選択信号線SSl〜SS7及び反転画像選択信号線iSSl〜iSS7の配線の組合せは２7＝128通りあり、画像選択信号線SSl〜SS7に入力する７個で1組の信号によって、１つの論理ゲート回路32を選択することができる。これにより、画像信号起動線SL1〜SL128のうちの１本を任意に選択してオンすることができる。尚、画像選択信号線SSl〜SS7に入力する７個で１組の信号の制御は、外部の制御LSI等によって行うことができる。
【００２８】
さらに、任意に選択された１本の画像信号起動線が１個のTFT素子35をオンし、そのTFT素子35が１つの画像信号Dataを画像信号線36上を伝送させて画素電極部に伝達させる。このような画像信号Dataの入力の制御は、上記の外部の制御LSI等によって行うことができる。
【００２９】
図４（ａ），（ｂ）は、ゲート信号線駆動回路３における１本のゲート信号線GL128をオン、オフさせる駆動回路部の１実施の形態を示す回路図である。反転ゲート選択信号線iGSl〜iGS6(図４（ａ），（ｂ）では符号に上付きバーの反転記号を付している)及びゲート選択信号線GS7のそれぞれに、ｐチャンネルTFT素子41とｎチャンネルTFT素子42とから成るインバータが接続されている。
【００３０】
これらの７個のインバータは、それぞれのゲート共通接続点は、反転ゲート選択信号線iGSl〜iGS6及びゲート選択信号線GS7の１本々に接続され、７つのドレイン共通接続点は、共通接続されている。これにより、反転ゲート選択信号線iGSl〜iGS6及びゲート選択信号線GS7の全てにＬの信号が入力されたときにのみ、共通接続された７つのドレイン共通接続点からＨの信号が出力される。即ち、論理和否定(NOR)の論理ゲート回路22として機能する。
【００３１】
NORの論理ゲート回路22の出力(Ｈの信号)は、インバータ43と、ｐチャンネルTFT素子とｎチャンネルTFT素子をドレイン電極部を共通接続して直列的に接続したトランスファゲート回路44と、ｐチャンネルTFT素子とｎチャンネルTFT素子をドレイン電極部を共通接続して直列的に接続したトランスファゲート回路45とから成る昇圧回路(Ｌ／Ｓ)23に入力される。一方のトランスファゲート回路44のドレイン共通接続点は、他方のトランスファゲート回路45のｐチャンネルTFT素子のゲート電極部に接続されている。また、他方のトランスファゲート回路45のドレイン共通接続点は、一方のトランスファゲート回路44のｐチャンネルTFT素子のゲート電極部に接続されている。
【００３２】
そして、一方のトランスファゲート回路44のｎチャンネルTFT素子のゲート電極部にＨの信号が入力されると、ｎチャンネルTFT素子に電流が流れて、一方のトランスファゲート回路44のドレイン共通接続点が０Ｖの電位(Ｌ)となる。この０Ｖの電位が、インバータ24のゲート共通接続点に入力される。これにより、インバータ24のドレイン共通接続点からゲート信号線GL128にＨの信号（６Ｖ）が入力される。このとき、他方のトランスファゲート回路45のｐチャンネルTFT素子のゲート電極部に０Ｖの電位(Ｌ)が印加され、ｐチャンネルTFT素子がオンとなり、ｐチャンネルTFT素子のドレイン電極部が６Ｖの電位になるが、この電位はインバータ24へは伝達されない。また、他方のトランスファゲート回路45のｎチャンネルTFT素子のゲート電極部には、インバータ43のドレイン共通接続点からＬの信号が入力されるため、そのｎチャンネルTFT素子はオフとなる。
【００３３】
図５（ａ），（ｂ）は、画像信号線駆動回路４における１本の画像信号起動線SL128をオン、オフさせる駆動回路部の１実施の形態を示す回路図である。反転画像選択信号線iSSl〜iSS6及び画像選択信号線SS7のそれぞれに、ｐチャンネルTFT素子51とｎチャンネルTFT素子52とから成るインバータが接続されている。
【００３４】
これらの７個のインバータは、それぞれのゲート共通接続点は、反転画像選択信号線iSSl〜iSS6及び画像選択信号線SS7の１本々に接続され、７つのドレイン共通接続点は、共通接続されている。これにより、反転画像選択信号線iSSl〜iSS6及び画像選択信号線SS7の全てにＬの信号が入力されたときにのみ、共通接続された７つのドレイン共通接続点からＨの信号が出力される。即ち、論理和否定(NOR)の論理ゲート回路32として機能する。
【００３５】
NORの論理ゲート回路32の出力(Ｈの信号)は、インバータ53と、ｐチャンネルTFT素子とｎチャンネルTFT素子をドレイン電極部を共通接続して直列的に接続したトランスファゲート回路54と、ｐチャンネルTFT素子とｎチャンネルTFT素子をドレイン電極部を共通接続して直列的に接続したトランスファゲート回路55とから成る昇圧回路(Ｌ／Ｂ)33に入力される。一方のトランスファゲート回路54のドレイン共通接続点は、他方のトランスファゲート回路55のｐチャンネルTFT素子のゲート電極部に接続されている。また、他方のトランスファゲート回路55のドレイン共通接続点は、一方のトランスファゲート回路54のｐチャンネルTFT素子のゲート電極部に接続されている。
【００３６】
そして、一方のトランスファゲート回路54のｎチャンネルTFT素子のゲート電極部にＨの信号が入力されると、ｎチャンネルTFT素子に電流が流れて、一方のトランスファゲート回路54のドレイン共通接続点が０Ｖの電位(Ｌ)となる。この０Ｖの電位が、インバータ34のゲート共通接続点に入力される。これにより、インバータ34のドレイン共通接続点から画像信号起動線SL128にＨの信号（６Ｖ）が入力される。このとき、他方のトランスファゲート回路55のｐチャンネルTFT素子のゲート電極部に０Ｖの電位(Ｌ)が印加され、ｐチャンネルTFT素子がオンとなり、ｐチャンネルTFT素子のドレイン電極部が６Ｖの電位になるが、この電位はインバータ34へは伝達されない。また、他方のトランスファゲート回路55のｎチャンネルTFT素子のゲート電極部には、インバータ53のドレイン共通接続点からＬの信号が入力されるため、そのｎチャンネルTFT素子はオフとなる。
【００３７】
さらに、画像信号起動線SL128には、画像信号起動線SL128を伝送する信号をゲート電極部への制御入力とするｎチャンネルTFT素子35が接続されており、そのｎチャンネルTFT素子35のソース電極部には画像信号線36が接続されている。これにより、画像信号起動線SL128を伝送する信号がＨのときにｎチャンネルTFT素子35がオンとなり、画像信号線Data128によって画像信号Dataが画素電極部に伝達される。
【００３８】
図６及び図７は、保持回路61と画素電極制御回路63を有する駆動選択回路64を含む画素電極部の１実施の形態を示す回路図である。図６はブロック回路図、図７は各ブロック回路を構成するTFT素子群を措いた詳細な回路図である。駆動選択回路64は、静止画駆動と書き換え駆動のいずれかを選択する回路であり、保持回路62、画素電極制御回路63を有している。
【００３９】
図６及び図７に示すように、駆動選択回路64の前段の入力部61には、２つのｎチャンネルTFT素子61a,61bを直列的に接続させて成るトランスファゲート回路が設けられている。画像信号側のｎチャンネルTFT素子61bは、そのゲート電極部に画像信号起動線SLnを伝送されてきた信号が制御入力される。その信号がＨの場合にｎチャンネルTFT素子61bはオンとなり、Ｌの場合にｎチャンネルTFT素子61bはオフとなる。もう一つのゲート信号側のｎチャンネルTFT素子61aは、そのゲート電極部にゲート信号線GLnを伝送されてきた信号が制御入力される。その信号がＨの場合にｎチャンネルTFT素子61aはオンとなり、Ｌの場合にｎチャンネルTFT素子61bはオフとなる。従って、ゲート信号線GLnを伝送されてきた信号がＨであり、かつ画像信号起動線SLnを伝送されてきた信号がＨである場合にのみ、トランスファゲート回路は等価回路的に閉(クローズ)状態となり、画像信号線37を伝送されてきた信号が保持回路62へ伝送される。
【００４０】
保持回路62は、例えば、CMOSインバータ等から成るインバータの２つをループ状に接続して成るスタティック型メモリ(SRAM)などから構成される。図７は、そのスタティック型メモリの構成を示している。保持回路62は、２つの第１、第２のインバータ62a,62bを縦続的に接続し、第２(後段側)のインバータ62bのドレイン共通接続点からの出力を、第１(前段側)のインバータ62aのゲート共通接続点に帰還入力させている。これにより、第１のインバータ62aのゲート共通接続点にＨの信号が入力されると、次に第１のインバータ62aのドレイン共通接続点からＬの信号が出力され、次にそのＬの信号が第２のインバータ62bのゲート共通接続点に入力され、次に第２のインバータ62bのドレイン共通接続点からＨの信号が出力され、次にそのＨの信号が第１のインバータ62aのゲート共通接続点に帰還入力される。その結果、常時Ｈ,Ｌ,Ｈの信号がループ状の伝送線上において保持される。即ち、保持回路62は記憶回路として機能する。
【００４１】
図８は、画素電極制御回路63を構成するTFT素子群の接続関係を描いた回路図である。画素電極制御回路63は、保持回路62の第１のインバータ62aを共用しており、画像信号Ｂの反転信号ｉＢ(図では符号に上付きバーの反転記号を付している)を出力する第１のインバータ62aと、ｐチャンネルTFT素子81aとｎチャンネルTFT素子81bとから成り、基準電圧Ｖcom（Ａ）と画像信号data（Ｂ）と第１のインバータ62aの出力(ｉＢ)が参照入力されることによって２値データを出力する第１の２値選択回路81と、ｐチャンネルTFT素子82aとｎチャンネルTFT素子82bとから成り、基準電圧Ｖcom（Ａ）と画像信号data（Ｂ）と第１のインバータ62aの出力（ｉＢ）が参照入力されることによって２値データを出力する、出力線が第１の２値選択回路81の出力線に並列的に接続されている第２の２値選択回路82と、を有している。そして、第１の２値選択回路81の出力及び第２の２値選択回路82の出力が、基準電圧Ｖcom（Ａ）と画像信号data（Ｂ）について排他的論理和(Exclusive OR :EXOR)の論理ゲート出力を構成している。
【００４２】
第１の２値選択回路81は、ｐチャンネルTFT素子81aとｎチャンネルTFT素子81bを、ゲート電極部を共通接続するとともにドレイン電極部を共通接続したインバータであり、画像信号data（Ｂ）がＨ（１）の信号である場合にのみ、２値データ（Ｙ）を出力する。逆に、画像信号data（Ｂ）がＬ（０）の信号である場合、第１の２億選択回路81はインバータとして機能せず、ハイインピーダンスの状態、即ち等価回路的に開(オープン)状態となり、２値データ（Ｙ）を出力しない。
【００４３】
第２の２値選択回路82は、ｐチャンネルTFT素子82aとｎチャンネルTFT素子82bを、ソース電極部同士及びドレイン電極部同士を接続した４端子型のトランスファゲート回路であり、ｎチャンネルTFT素子82bのゲート電極部に入力される第１のインバータ62aの出力（ｉＢ）を制御入力としている。そして、第１のインバータ62aの出力（ｉＢ）がＨの信号（１）である場合、即ち画像信号data（Ｂ）がＬの信号（０）である場合にのみ、２値データ（Ｙ）を出力する。逆に、第１のインバータ62aの出力（ｉＢ）がＬの信号（０）である場合、第２の２値選択回路82はトランスファゲート回路として機能せず、ハイインピーダンスの状態、即ち等価回路的に開(オープン)状態となり、２値データ（Ｙ）を出力しない。
【００４４】
このように、第２の２値選択回路82の出力線が第１の２値選択回路81の出力線に並列的に接続されているので、第１の２値選択回路81の出力及び第２の２値選択回路82の出力が、基準電圧Ｖcom（Ａ）と画像信号data（Ｂ）について排他的論理和の論理ゲート出力を構成することになる。即ち、画素電極制御回路63は、基準電圧Ｖcom（Ａ）と画像信号data（Ｂ）について排他的論理和の論理ゲート回路となっている。
【００４５】
図９は、基準電圧Ｖcom（Ａ）と画像信号data（Ｂ）を２値入力とする、排他的論理和の論理ゲート回路の出力（Ｙ）を記載した真理値表である。画像信号data（Ｂ）が画素電極部に入力された場合、即ち画像信号data（Ｂ）がＨ(３Ｖ:「１」)の信号である場合に、画素電圧Pixelと基準電圧Ｖcom（Ａ）との間に電位差が生じて、ノーマリホワイトモードであれば黒表示、ノーマリブラックモードであれば白表示となる。このように基準電圧Ｖcom（Ａ）を反転駆動させても、画素電圧Pixelと基準電圧Ｖcom（Ａ）との間の電位差は保持されるので、画素電極部における表示を保持した状態で、液晶の劣化を防ぐための、液晶に対する交流駆動が実現する。一方、画像信号data（Ｂ）が画素電極部に入力されない場合、即ち画像信号data（Ｂ）がＬ(０Ｖ:「０」)の信号である場合に、画素電圧Pixelと基準電圧Ｖcom（Ａ）との間には電位差が生じず、ノーマリホワイトモードであれば白表示、ノーマリブラックモードであれば黒表示となる。このように基準電圧Ｖcom（Ａ）を反転駆動させても、画素電圧Pixelと基準電圧Ｖcom（Ａ）との間の電位差がない状態が保持されるので、画素電極部における表示を保持した状態で、液晶の劣化を防ぐための、液晶に対する交流駆動が実現する。
【００４６】
また、画素電極部における表示を書き換える場合、図６に示す駆動選択回路64の前段の入力部61における、２つのｎチャンネルTFT素子61a,61bを直列的に接続させて成るトランスファゲート回路をオンにする。即ち、ゲート信号線GLnを伝送されてきた信号をＨとし、画像信号起動線SLnを伝送されてきた信号をＨとする。この状態で、画像信号線37を伝送されてきた信号（data）を保持回路62へ伝送させる。例えば、信号（data）がＨである場合、保持回路62はＨの信号（data）を保持する。そして、図９におけるdata（Ｂ）がＨの場合に相当する表示が画素電極部で実行される。即ち、画素電極部の表示は、ノーマリホワイトモードであれば黒表示、ノーマリブラックモードであれば白表示となる。一方、信号（data）がＬである場合、保持回路62はＬの信号（data）を保持する。そして、図９におけるdata（Ｂ）がＬの場合に相当する表示が画素電極部で実行される。即ち、画素電極部の表示は、ノーマリホワイトモードであれば白表示、ノーマリブラックモードであれば黒表示となるように、書き換えられる。
【００４７】
上述した構成により、本発明のドットマトリクス型表示装置は、表示領域における書き換え駆動を１画素(ドット)毎に行うことができ、それ以外の全ての画素を静止画駆動させることができるので、消費電力を極めて低いものとすることができる。例えば、従来の腕時計用の白黒表示の液晶表示装置において、静止画駆動及び書き換え駆動を全画面走査して行う場合に100μＷ程度の消費電力であったものが、本発明のドットマトリクス型表示装置においては10μＷ程度以下、さらには３μＷ程度以下にまで抑えることができる。これにより、複雑な表示構成の液晶表示装置であっても、例えば、１回の電池交換で駆動可能な期間を10倍以上に伸ばすことが可能となる。
【００４８】
さらに、本発明のドットマトリクス型表示装置の駆動方法及びドットマトリクス型表示装置においては、好ましくは、書き換え駆動を適用する表示領域を書き換え周期を相違させて複数設け、相違する書き換え周期の比を10倍以上とする。この構成により、ある表示領域では書き換えと次の書き換えとの間の期間を非常に長く設定し、他の表示領域では書き換えと次の書き換えとの間の期間を短く設定することにより、消費電力の制御をきめ細かく高い精度で行うことができる。その結果、消費電力をより低減させることができる。さらに、相違する書き換え周期の比を10倍以上とすることにより、消費電力をより低減させる効果が高まる。
【００４９】
図10は、本発明のドットマトリクス型表示装置を適用したデジタル表示式腕時計の表示パネルを示すものであり、図10に示すように、例えば、表示パネルにおいて、時間を表示させる表示領域91と、分を表示させる表示領域92と、秒を表示させる表示領域93とで、書き換え周期を大きく相違させることができる。秒を表示させる表示領域93では、１秒毎に書き換え駆動するのに対して、分を表示させる表示領域92では、１分毎に書き換え駆動し、時間を表示させる表示領域91では、１時間毎に書き換え駆動すればよい。従って、表示領域91〜93以外の表示領域は静止画の表示領域94である。好適な実施形態として、分を表示させる表示領域92と秒を表示させる表示領域93の書き換え駆動の周期の比は60倍となる。換言すれば、1/60になるともいえる。また、時間を表示させる表示領域91では、１時間毎に書き換え駆動すればよいので、秒を表示させる表示領域93と時間を表示させる表示領域91との書き換え駆動の周期の比は3600倍となる。換言すれば、1/3600になるともいえる。また、表示領域91〜93において、書き換え駆動を１画素(ドット)毎に行うことができるが、複数画素毎に書き換え駆動してもよい。また、表示領域91〜93において、全ての画素を書き換えてもよいし、書き換えに必要な画素のみを書き換えてもよい。例えば、１つの表示領域において、「５」の表示を「６」に書き換える場合、書き換え不要な画素と書き換え必要な画素を区別することができるので、書き換えが必要な画素のみを書き換えることができる。
【００５０】
また、携帯電話、スマートフォン、タブレット端末、パーソナルコンピュータ等からのメール着信の電波信号を腕時計で受信した際に、その腕時計のLCD等から成る表示パネルに、メール受信の表示を上述した画素選択駆動方式の書き換え駆動によって行わせることができる。このような複雑な表示機能を極めて低い消費電力でもって行うことができる。例えば、気温、湿度、高度、方位、照度、気圧、水深、水圧、天気予報、外国との時差、歩数計、潮汐時間、日の出・日没の時間、血圧、脈拍、メールの内容、ニュース速報、緊急地震速報等の告知などの表示を、それらの最適な書き換え周期または任意のタイミングでもって表示することができる。また、それらの書き換え周期または表示のタイミングを、外部から人が入力、変更等して制御することもできる。書き換え周期の変更、制御または表示のタイミングの制御は、ドットマトリクス型表示装置の周辺に設けられた制御LSI等によって行うことができる。
【００５１】
本発明のドットマトリクス型表示装置の駆動方法及びドットマトリクス型表示装置において、表示領域の書き換え周期に対応する書き換え期間は、書き換えを実行する動作期間及びそれ以外の書き換え休止期間を含んでおり、書き換え休止期間が動作期間よりも長いことが好ましい。この構成により、消費電力をさらに低減させることができる。例えば、時計の秒の表示を書き換える場合、書き換え期間を１秒とし、書き換えを実行する動作期間を0.1〜0.3秒(10％〜30％)程度とし、それ以外の0.7〜0.9秒程度の期間を書き換え休止期間とすれば良い。
【００５２】
また、時計の秒を表示する表示領域のように書き換え周期が短い表示領域の画素数を、時計の分、時間を表示する表示領域のように書き換え周期が長い表示領域の画素数よりも少なくすることが好ましい。これにより、消費電力をさらに低減させることができる。例えば、好ましくは、書き換え周期が短い表示領域の画素数を、書き換え周期が長い表示領域の画素数の30％以下、より好ましくは、10％以下とすることが良い。
【００５３】
上述したように、好適な実施形態として、画素電極制御回路64は保持回路62の第１のインバータ62aを共用しているため、TFT素子の数が低減されており、その結果、消費電力の低減効果が高まるとともに、画素電極部の開口率が高くなる。
【００５４】
また、本発明のドットマトリクス型表示装置は、画素電極を反射型電極とした反射型LCDであることが好ましい。この場合、保持回路62等を画素電極の下方に配置することができ、保持回路62等による光反射率の低下をなくすことができる。一方、透過型LCDにおいて、透明な画素電極と保持回路62とを重ねて配置すると、透過光によって保持回路62等を構成するTFT素子が誤作動する可能性がある。そのため、TFT素子のゲート電極部を遮光膜で覆う必要があり、開口率が低下し易い。また、反射型LCDは、バックライトを設ける必要がないため、消費電力の低減に有効である。また、本発明のドットマトリクス型表示装置は、画素電極の領域に上記の反射型電極を有する反射領域と透過型電極を有する透過領域を備えた、半透過型液晶表示装置であってもよい。
【００５５】
また、保持回路62によって保持されるビット数を１以上とすることが好ましい。このビット数を複数として多ビット化した場合、静止画表示の際に階調表示を行うことができる。また、アナログ信号を記憶する保持回路62とすれば、静止画表示の際にフルカラー表示を行うこともできる。
【００５６】
また、画素電極制御回路63は、図９の真理値表に示すように、基準電圧ＶcomのＨ／Ｌのいずれの信号に対しても静止画駆動と書き換え駆動を行うものとされている。即ち、基準電圧Ｖcom（Ａ）がＨ（３Ｖ）で画像信号data（Ｂ）がＨ（３Ｖ）である場合、基準電圧Ｖcom（Ａ）と画素電圧Pixel（Ｌ：０Ｖ）との間に電位差が形成され、基準電圧Ｖcom（Ａ）がＬ（０Ｖ）で画像信号data（Ｂ）がＨ（３Ｖ）である場合にも同様に基準電圧Ｖcom（Ａ）と画素電圧Pixel（Ｈ：３Ｖ）との間に電位差が形成されて、液晶が交流駆動されている。これにより、例えば、秒表示の書き換え周期に合わせて１秒毎に基準電圧Ｖcom（Ａ）のＨ／Ｌを反転させることができ、液晶分子の劣化を抑えることができる。即ち、液晶分子に直流電圧成分が長時間印加されることによって、液晶分子が画素電極表面で正負の電荷の偏り（微量不純物の固定化）を起こして寿命が短くなることを抑えることができる。
【００５７】
このように、基準電圧ＶcomのＨ／Ｌの反転を、書き換え周期に連動させて定期的に反転させることが好ましい。この場合、基準電圧ＶcomのＨ／Ｌの反転を、書き換え周期に連動させない場合と比較して、基準電圧Ｖcomを個別に制御するための制御回路等を付加する必要がなく、消費電力のさらなる低下に有効である。また、基準電圧ＶcomのＨ／Ｌの反転駆動は、液晶分子の劣化を抑制するための反転駆動と、EXORの論理ゲート回路を構成する画素電極制御回路63の制御入力としての画素電圧制御信号との、２つの役割を果たしており、これによっても消費電力のさらなる低下に寄与している。
【００５８】
また、本発明のドットマトリクス型表示装置の駆動方法及びドットマトリクス型表示装置において、静止画駆動が適用される表示領域において、各画素電極部に供給される基準電圧のハイ／ローを定期的に反転させることが好ましい。これにより、書き換え駆動が適用される表示領域は勿論のこと静止画駆動が適用される領域においても液晶分子の劣化が抑制される。
【００５９】
また、基準電圧Ｖcomの反転の定期的な周期は、制御LSI等によって、１秒毎、数十秒毎、分単位、時間単位で適宜設定することもできる。さらに、基準電圧Ｖcomの反転の周期をｎ秒毎（ｎは自然数）にしてもよく、その場合、秒表示の書き換え周期を基準電圧Ｖcomの反転の制御のベースに用いることができ、基準電圧Ｖcomの反転の制御が容易になる。
【００６０】
本発明のドットマトリクス型表示装置は、それを構成するTFT素子を、アモルファスシリコン(a-Si)、低温多結晶シリコン等から成る半導体膜を有するものとすることができる。特には、TFT素子が、低温多結晶シリコンから成る半導体膜を有するものとすることが好ましい。低温多結晶シリコンは、450℃以下で多結晶化させたシリコンであり、高価な石英基板等ではなく、ガラス基板が使用できる。また、低温多結晶シリコンはキャリア移動度が100〜200cm2/Vs以上であり、アモルファスシリコンの0.5cm2/Vsよりも高い。その結果、電流駆動能力が向上し、TFT素子を小さくして高精細化することができる。
【００６１】
また、低温多結晶シリコンを用いてｎチャンネルTFT素子及びｐチャンネルTFT素子を形成できるので、CMOS回路を基礎とした駆動回路、SRAM回路、Ｄ／Ａ変換器、画像表示部等をガラス基板上に一体的に集積化することができる。従って、音声処理回路、マイクロプロセサを搭載した液晶表示装置をも、低温多結晶シリコンを用いて作製することができる。ガラス基板上に液晶表示装置とその周辺駆動回路を一体的に形成できるので、電気的な信頼性が向上する。即ち、液晶表示パネルと駆動回路との電気的接続数を大幅に低減させることができ、振動に強く、軽量化がなされるので、携帯情報端末にとって好適なものとなる。また、電流駆動能力が高いので、高精細な画素、開口率の高い画素を有する表示装置を作製することができる。
【００６２】
低温多結晶シリコンの製造方法を以下に示す。まず、ガラス基板上に、プラズマＣＶＤ（Chemical  Vapor  Deposition）法によって、アモルファスシリコン膜を形成する。次に、アモルファスシリコン膜を多結晶化するために、450℃以下のガラス基板の温度でアモルファスシリコン膜にエキシマレーザ光を照射する。エキシマレーザ光のエネルギーによってアモルファスシリコンは瞬間的に溶融し凝固する。その結果、平均粒径0.3μｍ程度の多結晶シリコンの膜に変化する。
【００６３】
本発明のドットマトリクス型表示装置において、画素電極制御回路63と画素電極との間に１〜３ｐＦ程度の補助容量を並列的に接続してもよい。これにより、書き換え駆動する際に、画素電圧が次第に低下して１フィールド期間保持されにくくなるのを抑え、画素電圧を１フィールド期間保持することができる。
【００６４】
また、画素電極は、透光性を有する場合、酸化インジウムスズ（ITO）、インジウム亜鉛酸化物（IZO）、酸化珪素を添加したインジウム錫酸化物（ITSO）、酸化亜鉛（ZnO）、リンやボロンが含まれるシリコン（Si）等の透光性を有する導電性材料を用いて形成することができる。
【００６５】
画素電極部に配置する表示素子としては、LCD素子、有機EL（Electro  Luminescence）素子、無機EL素子、FED（Field  Emitting  Display）素子、SED（Surface-conduction  Electron-emitter  Display）素子、GLV（Grating  Light  Valve）素子、PDP（Plasma  Display）素子、電子ペーパーディスプレイ素子、DMD（Digital  micro  Mirror  Device）素子、圧電セラミックディスプレイ素子などの表示素子を用いることができる。また、本発明のドットマトリクス型表示装置は、インプレーンスイッチング（In-plane  Switching  :IPS）方式、フリンジフィールドスイッチング（Fringe  Field  Switching  ：FFS）方式のものであることが好ましい。この場合、画素電極が形成されているアレイ基板（TFT素子が形成された基板）の主面に、基準電極を画素電極部毎に形成することによって、基準電圧の制御を画素電極部毎に独立して行うことが可能となる。
【産業上の利用可能性】
【００６６】
また、本発明のドットマトリクス型表示装置は各種の電子機器に適用できる。その電子機器としては、スマートウォッチ等のデジタル表示式腕時計、自動車経路誘導システム（カーナビゲーションシステム）、船舶経路誘導システム、航空機経路誘導システム、スマートフォン端末、携帯電話、タブレット端末、パーソナルデジタルアシスタント（PDA）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機などがある。
【符号の説明】
【００６７】
１  TFT素子
２  基準電圧線
３  ゲート信号線駆動回路
４  画像信号線駆動回路
10  LCDパネル
21,31  インバータ
22,32  NORの論理ゲート回路
23  昇圧回路（レベルシフタ）
24,34  インバータ
33  昇圧回路（レベルシフタ）
35  ｎチャンネルTFT素子
36,37  画像信号線
41,51  ｐチャンネルTFT素子
42,52  ｎチャンネルTFT素子
43,53  インバータ
44,54  一方のトランスファゲート回路
45,55  他方のトランスファゲート回路
61  入力部
61a  ゲート信号側のｎチャンネルTFT素子
61b  画像信号側のｎチャンネルTFT素子
62  保持回路
62a  第１のインバータ
62b  第２のインバータ
63  画素電極制御回路
64  駆動選択回路
81  第１の２値選択回路
81a  ｐチャンネルTFT素子
81b  ｎチャンネルTFT素子
82  第２の２値選択回路
82a  ｐチャンネルTFT素子
82b  ｎチャンネルTFT素子
91  時間を表示させる表示領域
92  分を表示させる表示領域
93  秒を表示させる表示領域
94  静止画を表示させる表示領域
【図１】
2015087437.tif 000003
【図２】
2015087437.tif 000004
【図３】
2015087437.tif 000005
【図４】
2015087437.tif 000006
【図５】
2015087437.tif 000007
【図６】
2015087437.tif 000008
【図７】
2015087437.tif 000009
【図８】
2015087437.tif 000010
【図９】
2015087437.tif 000011
【図１０】
2015087437.tif 000012
【図１１】
2015087437.tif 000013